(57)【特許請求の範囲】
【請求項１】
眼鏡に対して着脱自在に取り付けられる眼鏡用防塵具であって、
眼鏡に対して取り付けられた状態において、前記眼鏡の左右のレンズ後方にそれぞれ位置し、少なくとも後方周縁部が弾性体から形成された左右一対の筒状部材と、
前記左右一対の筒状部材を前記眼鏡の左右のレンズ後方にそれぞれ独立別個に取り付けるための取付手段とを備え、
前記取付手段は、前記筒状部材の側方に取り付けられた第１弾性部材とされ、
前記筒状部材は、前記第１弾性部材が圧縮変形した状態において、前記眼鏡のパッドと前記眼鏡のテンプル又はヨロイとの間で挟持されることを特徴とする眼鏡用防塵具。
【請求項２】
眼鏡に対して着脱自在に取り付けられる眼鏡用防塵具であって、
眼鏡に対して取り付けられた状態において、前記眼鏡の左右のレンズ後方にそれぞれ位置し、少なくとも後方周縁部が弾性体から形成された左右一対の筒状部材と、
前記左右一対の筒状部材を前記眼鏡の左右のレンズ後方にそれぞれ独立別個に取り付けるための取付手段とを備え、
前記取付手段は、前記筒状部材の前方周縁部に取り付けられた粘着材と、前記筒状部材の側方に取り付けられた第１弾性部材とから構成され、
前記筒状部材は、前記第１弾性部材が圧縮変形した状態において、前記眼鏡のパッドと前記眼鏡のテンプル又はヨロイとの間で挟持されることを特徴とする眼鏡用防塵具。
【請求項３】
前記筒状部材は、硬質性の材料から形成された環状部材と、当該環状部材の周縁部から後方に延設された第２弾性部材とを備え、
前記第１弾性部材は、前記環状部材に取り付けられることを特徴とする請求項１又は２に記載の眼鏡用防塵具。
【請求項４】
透明な材料から形成され、前記筒状部材の前方開口部を閉塞する眼鏡部材を更に備えることを特徴とする請求項１から３のいずれかに記載の眼鏡用防塵具。
【請求項５】
前記筒状部材は、後方周縁部から外方又は内方に向けて平面状に突設され、弾性体から形成された鍔部を備えることを特徴とする請求項１から４のいずれかに記載の眼鏡用防塵具。
【発明の詳細な説明】
【技術分野】
【０００１】
本発明は、眼鏡に対して着脱自在に取り付けられる眼鏡用防塵具に関し、特に、常時使用している眼鏡（度付き眼鏡）を装着したままの状態で、花粉から目を保護する等の防塵機能を効果的に且つ安価に奏し得る眼鏡用防塵具に関する。
【背景技術】
【０００２】
従来より、花粉の他、粉塵、飛翔、風圧等から目を保護するべく、種々の防塵眼鏡が提案されている（例えば、特許文献１及び２参照）。
【０００３】
図４に示すように、例えば、従来提案され実用化されている防塵眼鏡２は、それ自体で眼鏡として装着し、顔部に固定できるように、耳に係合させるために湾曲した耳掛け部を有するテンプル２１を備えた構成である。ここで、眼鏡（特に、度付きの眼鏡の場合に問題となる）を使用している者にとって、花粉等から目を保護するべく防塵眼鏡２を装着するには、使用している度付き眼鏡の上から更に防塵眼鏡２を装着するか、或いは、使用している度付き眼鏡を外した上で防塵眼鏡２を装着する必要が生じる。
【０００４】
しかしながら、度付き眼鏡の上から更に防塵眼鏡２を装着する場合には、度付き眼鏡のテンプルと防塵眼鏡２のテンプル２１とが重なり合うため、違和感を生じるのみならず、防塵眼鏡２のテンプルが耳に密着せず外れたり位置ずれを生じたりし易いため、防塵機能が損なわれるという問題がある。また、度付き眼鏡と防塵眼鏡２とは別体であり、相互に連動するものではないため、互いの装着位置を調整し難く、ひいては防塵眼鏡２と顔部との間に広い隙間が生じ易くなる結果、防塵機能が損なわれるという問題もある。このような防塵機能の低下を少しでも抑止するべく、防塵眼鏡２の前枠２２を顔部側に過度に押し付けると、度付き眼鏡も顔部側に過度に押し付けられる結果、圧迫感が増し使用者に不快感を与えてしまうという問題もある。
【０００５】
一方、使用している度付き眼鏡を外した上で防塵眼鏡２を装着する場合には、上記問題は生じないものの、当然に視力低下の問題を生じるため実用的ではない。防塵眼鏡２自体を度付き眼鏡とする構成も考えられるが、コストが掛ってしまうという問題がある。
【０００６】
従って、常時使用している眼鏡（度付き眼鏡）に対して着脱自在に取り付けることが可能な眼鏡用防塵具を提案することが望まれている。
【０００７】
ここで、眼鏡に対して着脱自在に取り付け可能な構成を有するものとしては、従来より、いわゆる前掛眼鏡が提案されている（例えば、特許文献３参照）。
【０００８】
しかしながら、斯かる前掛眼鏡は、サングラスを掛けた状態を得る目的で、或いは、度付き眼鏡の視力矯正を図る等の目的で提案されたものであって、眼鏡に対して着脱自在に取付可能であるものの、眼鏡に対して何ら防塵機能を奏するものではない。
【特許文献１】特開平１０−３２８２３０号公報
【特許文献２】特開２００１−３４３６１８号公報
【特許文献３】実用新案登録第３０５７８５２号公報
【発明の開示】
【発明が解決しようとする課題】
【０００９】
本発明は、斯かる従来技術の問題点を解決するべくなされたものであり、常時使用している眼鏡（特に、度付き眼鏡）を装着したままの状態で、花粉から目を保護する等の防塵機能を効果的に且つ安価に奏し得る眼鏡用防塵具を提供することを課題とする。
【課題を解決するための手段】
【００１０】
前記課題を解決するべく、本発明は、眼鏡に対して着脱自在に取り付けられる眼鏡用防塵具であって、眼鏡に対して取り付けられた状態において、前記眼鏡の左右のレンズ後方にそれぞれ位置し、少なくとも後方周縁部が弾性体から形成された左右一対の筒状部材と、前記左右一対の筒状部材を前記眼鏡の左右のレンズ後方にそれぞれ独立別個に取り付けるための取付手段とを備え、前記取付手段は、前記筒状部材の側方に取り付けられた第１弾性部材とされ、前記筒状部材は、前記第１弾性部材が圧縮変形した状態において、前記眼鏡のパッドと前記眼鏡のテンプル又はヨロイとの間で挟持されることを特徴とする眼鏡用防塵具を提供するものである。
【００１１】
本発明に係る眼鏡用防塵具によれば、眼鏡（特に、度付き眼鏡を対象とするのに好適である）に対して取り付けられた状態において、眼鏡の左右のレンズ後方にそれぞれ位置する左右一対の筒状部材を備えるため、眼鏡用防塵具を取り付けた眼鏡を装着した場合、当該眼鏡のレンズと前記筒状部材とによって眼の周囲は覆われ、防塵機能を奏することになる。ここで、筒状部材の少なくとも後方周縁部（顔部に当接する部分となる）が弾性体から形成されているため、顔部への密着性が高まり防塵機能を向上させることができると共に、使用者が違和感を感じ難いという利点を有する。また、取付手段によって筒状部材を眼鏡に取り付けた後は、眼鏡と眼鏡用防塵具とは連動することになり装着位置を調整し易くなる（眼鏡の装着位置を調整するだけで良い）他、眼鏡用防塵具自体には顔部に固定するためのテンプルは不要であるため、防塵機能を損なわないという利点を有する。さらに、眼鏡を装着したままの状態で良いため、筒状部材に度付きレンズを取り付ける必要が無く、安価であるという利点も有する。なお、本発明に係る眼鏡用防塵具によれば、眼鏡のレンズと筒状部材とによって眼の周囲が覆われるため、覆われた空間内の湿度を保持し易く、冬場における眼の乾燥防止を図ることも可能である。
【００１２】
また、本発明に係る眼鏡用防塵具によれば、筒状部材は、当該筒状部材の側方に取り付けられた第１弾性部材が圧縮変形した状態において、眼鏡のパッドと眼鏡のテンプル又はヨロイとの間で挟持されるため、第１弾性部材の弾性力（復元力）が眼鏡のパッドとテンプル又はヨロイとの間で作用し、筒状部材を容易に固定することができるという利点を有する。また、第１弾性部材の弾性力（復元力）を眼鏡のパッドとテンプル又はヨロイとの間で作用させることにより取り付ける構成であるため、必ずしも眼鏡の前枠の形状（ウェリントン、ボストン、スクェア、オーバル、ロイドなど）毎に独立別個に眼鏡用防塵具を用意する必要が無く自由度が高いという利点も有する。換言すれば、取り付け対象とする種々の眼鏡のうち最もレンズ寸法が小さな眼鏡よりも小さな断面寸法を有するように筒状部材を形成すると共に、取り付け対象とする種々の眼鏡のうちパッドとテンプル又はヨロイとの離間距離が最も長いものに対して筒状部材が挟持される場合にも第１弾性部材が圧縮変形した状態となるように当該第１弾性部材の寸法を設定すれば、前記取り付け対象とする全ての眼鏡に対して一種類の眼鏡用防塵具を用意するだけで足りることになる。従って、眼鏡使用者にとっては、特に複数の眼鏡を保有する場合に、各眼鏡に応じて複数の眼鏡用防塵具を購入する必要が無く経済的であると共に、眼鏡用防塵具の販売者側にとっては、複数種の眼鏡用防塵具を在庫しておく必要が無く在庫管理の手間が少なくて済むという利点が得られる。  
【００１３】
また、前記課題を解決するべく、本発明は、眼鏡に対して着脱自在に取り付けられる眼鏡用防塵具であって、眼鏡に対して取り付けられた状態において、前記眼鏡の左右のレンズ後方にそれぞれ位置し、少なくとも後方周縁部が弾性体から形成された左右一対の筒状部材と、前記左右一対の筒状部材を前記眼鏡の左右のレンズ後方にそれぞれ独立別個に取り付けるための取付手段とを備え、前記取付手段は、前記筒状部材の前方周縁部に取り付けられた粘着材と、前記筒状部材の側方に取り付けられた第１弾性部材とから構成され、前記筒状部材は、前記第１弾性部材が圧縮変形した状態において、前記眼鏡のパッドと前記眼鏡のテンプル又はヨロイとの間で挟持されることを特徴とする眼鏡用防塵具を提供するものである。
【００１４】
斯かる発明によれば、取付手段が粘着材と第１弾性部材とから構成されているため、第１弾性部材のみの場合に比べて、より一層確実に筒状部材を眼鏡に取り付けることが可能である。つまり、筒状部材の前方周縁部に粘着材が取り付けられているため、眼鏡用防塵具を眼鏡に取り付ける際に粘着材を眼鏡のレンズ後面に対して押圧すれば、当該粘着材の粘着力によって筒状部材がレンズ後面に容易に固定されるという利点を有する。なお、粘着材としては、例えば、再粘着性を有するポリウレタン樹脂を好適に用いることができる。
【００１５】
好ましくは、前記筒状部材は、硬質性の材料から形成された環状部材と、当該環状部材の周縁部から後方に延設された第２弾性部材とを備え、前記第１弾性部材は、前記環状部材に取り付けられる。
【００１６】
斯かる構成によれば、筒状部材が硬質性の材料から形成された環状部材を備え、第１弾性部材が前記環状部材に取り付けられるため、第１弾性部材を圧縮変形させて筒状部材を取り付ける際に、筒状部材の形状を保持し易く、取り付けが容易であるという利点を有する。また、筒状部材は、環状部材の周縁部から後方に延設された弾性部材を備え、当該弾性部材が顔部に当接することになるため、顔部への密着性が高まり防塵機能を向上させることができると共に、使用者が違和感を感じ難いという利点を有する。
【００１７】
好ましくは、透明な材料から形成され、前記筒状部材の前方開口部を閉塞する眼鏡部材を更に備えるように構成される。
【００１８】
斯かる構成によれば、筒状部材の前方開口部を閉塞する眼鏡部材を備えるため、例え眼鏡のレンズと筒状部材の前端部との間に隙間が生じたとしても（特に、取付手段が筒状部材の側方に取り付けられた第１弾性部材である場合に隙間が生じることが考えられる）、筒状部材の前方開口部から花粉や粉塵等が筒状部材内部に進入することがなく、防塵機能を更に向上させることが可能である。また、眼鏡部材が透明な材料から形成されるため、眼鏡の視認性を損なうこともない。
【００１９】
好ましくは、前記筒状部材は、後方周縁部から外方又は内方に向けて平面状に突設され、弾性体から形成された鍔部を備えるように構成される。
【００２０】
斯かる構成によれば、眼鏡用防塵具を取り付けた眼鏡を装着した場合、平面状に突設された鍔部に顔部が当接することになる。すなわち、眼鏡防塵具と顔部とが鍔部で面接触することになるため、顔部への密着性が高まり防塵機能をより一層向上させることができると共に、使用者が違和感をより一層感じ難いという利点を有する。
【発明の効果】
【００２１】
本発明に係る眼鏡用防塵具によれば、眼鏡に対して取り付けられた状態において、眼鏡の左右のレンズ後方にそれぞれ位置する左右一対の筒状部材を備えるため、眼鏡用防塵具を取り付けた眼鏡を装着した場合、当該眼鏡のレンズと前記筒状部材とによって眼の周囲は覆われ、防塵機能を奏することになる。ここで、筒状部材の少なくとも後方周縁部が弾性体から形成されているため、顔部への密着性が高まり防塵機能を向上させることができると共に、使用者が違和感を感じ難いという利点を有する。また、取付手段によって筒状部材を眼鏡に取り付けた後は、眼鏡と眼鏡用防塵具とは連動することになり装着位置を調整し易くなる他、眼鏡用防塵具自体には顔部に固定するためのテンプルは不要であるため、防塵機能を損なわないという利点を有する。さらに、眼鏡を装着したままの状態で良いため、筒状部材に度付きレンズを取り付ける必要が無く、安価であるという利点も有する。なお、本発明に係る眼鏡用防塵具によれば、眼鏡のレンズと筒状部材とによって眼の周囲が覆われるため、覆われた空間内の湿度を保持し易く、冬場における眼の乾燥防止を図ることも可能である。
【００２２】
また、本発明に係る眼鏡用防塵具によれば、筒状部材は、当該筒状部材の側方に取り付けられた第１弾性部材が圧縮変形した状態において、眼鏡のパッドと眼鏡のテンプル又はヨロイとの間で挟持されるため、第１弾性部材の弾性力（復元力）が眼鏡のパッドとテンプル又はヨロイとの間で作用し、筒状部材を容易に固定することができるという利点を有する。また、第１弾性部材の弾性力（復元力）を眼鏡のパッドとテンプル又はヨロイとの間で作用させることにより取り付ける構成であるため、必ずしも眼鏡の前枠の形状（ウェリントン、ボストン、スクェア、オーバル、ロイドなど）毎に独立別個に眼鏡用防塵具を用意する必要が無く自由度が高いという利点も有する。換言すれば、取り付け対象とする種々の眼鏡のうち最もレンズ寸法が小さな眼鏡よりも小さな断面寸法を有するように筒状部材を形成すると共に、取り付け対象とする種々の眼鏡のうちパッドとテンプル又はヨロイとの離間距離が最も長いものに対して筒状部材が挟持される場合にも第１弾性部材が圧縮変形した状態となるように当該第１弾性部材の寸法を設定すれば、前記取り付け対象とする全ての眼鏡に対して一種類の眼鏡用防塵具を用意するだけで足りることになる。従って、眼鏡使用者にとっては、特に複数の眼鏡を保有する場合に、各眼鏡に応じて複数の眼鏡用防塵具を購入する必要が無く経済的であると共に、眼鏡用防塵具の販売者側にとっては、複数種の眼鏡用防塵具を在庫しておく必要が無く在庫管理の手間が少なくて済むという利点が得られる。
【発明を実施するための最良の形態】
【００２３】
以下、添付図面を参照しつつ、本発明の実施形態について説明する。
【００２４】
＜第１実施形態＞
図１は、本発明の第１実施形態に係る眼鏡用防塵具の概略構成を示す図であり、それぞれ（ａ）は正面図を、（ｂ）は平面図を示す。また、図２は、本実施形態に係る眼鏡用防塵具を眼鏡に対して取り付けた状態を概略的に示す背面図である。図１及び図２に示すように、本実施形態に係る眼鏡用防塵具１は、眼鏡（度付き眼鏡）３に対して取り付けられた状態（図２に示す状態）において、眼鏡３の左右のレンズ３１、３２後方（図２の紙面手前側）にそれぞれ位置し、少なくとも後方周縁部が弾性体から形成された左右一対の筒状部材１１、１２と、左右一対の筒状部材１１、１２を眼鏡３の左右のレンズ３１、３２後方にそれぞれ独立別個に取り付けるための取付手段１３、１４とを備えている。
【００２５】
より具体的には、本実施形態に係る筒状部材１１は、硬質性を有する材料から形成された環状部材１１１と、環状部材１１１の周縁部から後方に延設された弾性部材１１２とを備えている。また、筒状部材１２も同様に、硬質性を有する材料から形成された環状部材１２１と、環状部材１２１の周縁部から後方に延設された弾性部材１２２とを備えている。なお、環状部材１１１、１２１としては、硬質性を有する種々の材料から形成可能であるが、成形容易であることが好ましいため、例えば、ポリカーボネート樹脂やアクリル樹脂などから形成される。また、弾性部材１１２、１２２としては、例えば、硬質ゴム、スポンジゴム、シリコンゴムなどの種々の弾性材料から形成可能である。環状部材１１１、１２１と、弾性部材１１２、１２２とは、接着材を用いて互いに接合したり、或いは、弾性部材１１２、１２２の環状部材１１１、１２１の周縁部と対向する箇所に溝を形成し、当該溝に環状部材１１１、１２１を嵌め込む等により、互いに結合すれば良い。
【００２６】
本実施形態に係る取付手段１３は、筒状部材１１の側方（本実施形態では、環状部材１１１の側面）に取り付けられた弾性部材とされており、筒状部材１１は、前記弾性部材１３が圧縮変形（図２参照）した状態において、眼鏡３のパッド３３と眼鏡３のテンプル（又はヨロイ）３５との間に介挿され、両者間で挟持される。従って、弾性部材１３の弾性力（図２に示す状態から図１に示す状態に戻ろうとする復元力）がパッド３３とテンプル（又はヨロイ）３５との間で作用するため、筒状部材１１を容易に固定することができる。同様にして、本実施形態に係る取付手段１４は、筒状部材１２の側方（本実施形態では、環状部材１２１の側面）に取り付けられた弾性部材とされており、筒状部材１２は、前記弾性部材１４が圧縮変形（図２）した状態において、眼鏡３のパッド３４と眼鏡３のテンプル（又はヨロイ）３６との間で挟持される。従って、弾性部材１４の弾性力（図２に示す状態から図１に示す状態に戻ろうとする復元力）がパッド３４とテンプル（又はヨロイ）３６との間で作用するため、筒状部材１２を容易に固定することができる。弾性部材１３、１４としては、例えば、硬質ゴム、スポンジゴム、シリコンゴムなどの種々の弾性材料から形成可能である。なお、本実施形態に係る弾性部材１３、１４は、接着剤によって筒状部材１１、１２（環状部材１１１、１２１）に取り付けられている。また、本実施形態に係る弾性部材１３、１４は、略C字状に形成されているが、本発明はこれに限るものではなく、眼鏡３のパッドとテンプル（又はヨロイ）との間で挟持される際に、内方に向けて圧縮変形可能である限りにおいて種々の形状を採用することができる。さらに、本実施形態に係る弾性部材１３、１４は、筒状部材１１、１２のテンプル側の側方（環状部材１１１、１２１のテンプル側の側面）に取り付けられているが、本発明はこれに限るものではなく、筒状部材１１、１２のパッド側の側方（環状部材１１１、１２１のパッド側の側面）に取り付けられる構成や、両側の側方に取り付けられる構成を採用することも可能である。
【００２７】
以上のように、本実施形態に係る眼鏡用防塵具１は、眼鏡３に対して取り付けられた状態において、眼鏡３の左右のレンズ３１、３２後方にそれぞれ位置する左右一対の筒状部材１１、１２を備えるため、眼鏡用防塵具１を取り付けた眼鏡３を装着した場合、眼鏡のレンズ３１、３２と筒状部材１１、１２とによって眼の周囲は覆われ、防塵機能を奏することになる。ここで、筒状部材１１、１２の少なくとも後方周縁部（本実施形態では、弾性部材１１２、１１３）が弾性体から形成されているため、顔部への密着性が高まり防塵機能を向上させることができると共に、使用者が違和感を感じ難いという利点を有する。また、取付手段（弾性部材）１３、１４によって筒状部材１１、１２を眼鏡３に取り付けた後は、眼鏡３と眼鏡用防塵具１とは連動することになり装着位置を調整し易くなる（眼鏡３の装着位置を調整するだけで良い）他、眼鏡用防塵具１自体には顔部に固定するためのテンプルは不要であるため、防塵機能を損なわないという利点を有する。さらに、眼鏡３を装着したままの状態で良いため、筒状部材１１、１２に度付きレンズを取り付ける必要が無く、安価であるという利点も有する。なお、本実施形態に係る眼鏡用防塵具１によれば、眼鏡３のレンズと筒状部材１１、１２とによって眼の周囲が覆われるため、覆われた空間内の湿度を保持し易く、冬場における眼の乾燥防止を図ることも可能である。
【００２８】
また、弾性部材１３、１４の弾性力（復元力）を眼鏡３のパッドとテンプル（又はヨロイ）との間で作用させることにより取り付ける構成であるため、必ずしも眼鏡３の前枠の形状（ウェリントン、ボストン、スクェア、オーバル、ロイドなど）毎に独立別個に眼鏡用防塵具１を用意する必要が無く自由度が高いという利点も有する。換言すれば、取り付け対象とする種々の眼鏡３のうち最もレンズ寸法が小さな眼鏡よりも小さな断面寸法を有するように筒状部材１１、１２（環状部材１１１、１２１）を形成すると共に、取り付け対象とする種々の眼鏡３のうちパッドとテンプル又はヨロイとの離間距離が最も長いものに対して筒状部材１１、１２が挟持される場合にも弾性部材１３、１４が圧縮変形した状態となるように当該弾性部材１３、１４の寸法を設定すれば、前記取り付け対象とする全ての眼鏡３に対して一種類の眼鏡用防塵具１を用意するだけで足りることになる。従って、眼鏡使用者にとっては、特に複数の眼鏡３を保有する場合に、各眼鏡３に応じて複数の眼鏡用防塵具１を購入する必要が無く経済的であると共に、眼鏡用防塵具１の販売者側にとっては、複数種の眼鏡用防塵具１’在庫しておく必要が無く在庫管理の手間が少なくて済むという利点が得られる。
【００２９】
なお、本実施形態に係る筒状部材１１、１２は、後方周縁部１１ａ、１２ａから外方又は内方に向けて（本実施形態では内方に向けて）平面状に突設され、弾性体から形成された鍔部１１２ａ、１２２ａを備えている。換言すれば、弾性部材１１２、１２２が平面状の鍔部１１２ａ、１２２ａを備えている。従って、本実施形態に係る眼鏡用防塵具１を取り付けた眼鏡３を装着した場合、平面状に突設された鍔部１１２ａ、１２２ａに顔部が当接することになる。すなわち、眼鏡用防塵具１と顔部とが鍔部１１２ａ、１２２ａで面接触することになるため、顔部への密着性が高まり防塵機能をより一層向上させることができると共に、使用者が違和感をより一層感じ難いという利点を有する。
【００３０】
また、本実施形態に係る眼鏡用防塵具１は、透明な材料から形成され、筒状部材１１、１２の前方開口部を閉塞する眼鏡部材１５、１６を備えている。眼鏡部材１５、１６としては、透明である限りにおいて種々の材料から形成することが可能であり、例えば、ポリカーボネート樹脂やアクリル樹脂などから形成される。本実施形態に係る眼鏡用防塵具１は、筒状部材１１、１２の前方開口部を閉塞する眼鏡部材１５、１６を備えるため、例え眼鏡３のレンズ３１、３２と筒状部材１１、１２の前端部（環状部材１１１、１２１）との間に隙間が生じたとしても、筒状部材１１、１２の前方開口部から花粉や粉塵等が筒状部材１１、１２内部に進入することがなく、防塵機能を更に向上させることが可能である。また、眼鏡部材１５、１６が透明な材料から形成されるため、眼鏡３の視認性を損なうこともない。
【００３１】
＜第２実施形態＞
図３は、本発明の第２実施形態に係る眼鏡用防塵具の概略構成を示す図であり、それぞれ（ａ）は正面図を、（ｂ）は平面図を示す。図３に示すように、本実施形態に係る眼鏡用防塵具１’も、第１実施形態と同様に、眼鏡（度付き眼鏡）３に対して取り付けられた状態において、眼鏡３の左右のレンズ３１、３２後方にそれぞれ位置し、少なくとも後方周縁部が弾性体から形成された左右一対の筒状部材１１、１２と、左右一対の筒状部材１１、１２を眼鏡３の左右のレンズ３１、３２後方にそれぞれ独立別個に取り付けるための取付手段とを備えている。ただし、本実施形態に係る取付手段は、第１実施形態と同様の弾性部材１３、１４（図３では図示省略）のみならず、粘着材１３’、１４’を併用する構成を採用している。以下、筒状部材１１等の具体的構成は第１実施形態と同様であるので、その説明を省略し、第１実施形態とは具体的構成の異なる取付手段（粘着材１３’、１４’）について説明する。
【００３２】
本実施形態に係る取付手段を構成する粘着材１３’、１４’は、筒状部材１１、１２の前方周縁部（本実施形態では、環状部材１１１、１２１の前面）に取り付けられている。従って、眼鏡用防塵具１’を眼鏡３に取り付ける際に粘着材１３’、１４’を眼鏡３のレンズ後面に対して押圧すれば、当該粘着材１３’、１４’の粘着力によって筒状部材１１、１２がレンズ３１、３２の後面に容易に固定されることになる。斯かる粘着材１３’、１４’としては、例えば、再粘着性を有するポリウレタン樹脂を好適に用いることができる。なお、本実施形態に係る粘着材１３’、１４’は接着剤によって筒状部材１１、１２（環状部材１１１、１２１の前面）に取り付けられている。また、粘着材１３’、１４’の粘着面（眼鏡３のレンズ後面に当接する面）に異物等が付着し粘着力が低下することを防止するべく、眼鏡防塵具１’を眼鏡３に取り付ける前には粘着材１３’、１４’の粘着面を剥離シート等で保護しておくことが好ましい。
【００３３】
以上に説明した本実施形態に係る眼鏡用防塵具１’によれば、第１実施形態で説明した弾性部材１３、１４のみで取付手段を構成する場合に比べて、より一層確実に筒状部材１１、１２を眼鏡３に取り付けることが可能である。
【００３４】
なお、本発明は、以上に説明した第１実施形態及び第２実施形態以外にも種々の形態を採用可能であり、例えば、眼鏡部材１５、１６を色付きにすることにより、サングラスを掛けた状態を得るようにしたり、眼鏡用防塵具を取り付ける眼鏡が度付きでない場合には、眼鏡部材１５、１６を度付きにする構成を採用することも可能である。
【図面の簡単な説明】
【００３５】
【図１】図１は、本発明の第１実施形態に係る眼鏡用防塵具の概略構成を示す図である。
【図２】図２は、図１に示す眼鏡用防塵具を眼鏡に対して取り付けた状態を概略的に示す背面図である。
【図３】図３は、本発明の第２実施形態に係る眼鏡用防塵具の概略構成を示す図である。
【図４】図４は、従来の防塵眼鏡の概略構成を示す斜視図である。
【符号の説明】
【００３６】
１、１’…眼鏡用防塵具
１１、１２…筒状部材
１３、１４…取付部材（第１弾性部材）
１３’、１４’…取付部材（粘着材）
１５、１６…眼鏡部材
１１１、１２１…環状部材
１１２、１２２…弾性部材
１１２ａ、１２２ａ…鍔部
【要約】
【課題】  常時使用している眼鏡（特に、度付き眼鏡）を装着したままの状態で、花粉から目を保護する等の防塵機能を効果的に且つ安価に奏し得る眼鏡用防塵具を提供する。
【解決手段】  眼鏡用防塵具１は、眼鏡３に対して取り付けられた状態において、眼鏡３の左右のレンズ３１、３２後方にそれぞれ位置し、少なくとも後方周縁部が弾性体から形成された左右一対の筒状部材１１、１２と、左右一対の筒状部材１１、１２を眼鏡３の左右のレンズ３１、３２後方にそれぞれ独立別個に取り付けるための取付手段１３、１４とを備えている。取付手段１３、１４としては、例えば、筒状部材１１、１２の前方周縁部に取り付けられた粘着材とすることができる。
【選択図】    図２
【図１】
0003585485.tif 000002
【図２】
0003585485.tif 000003
【図３】
0003585485.tif 000004
【図４】
0003585485.tif 000005